(57)【特許請求の範囲】
【請求項１】
楕円体の長径方向における両端を切り取ってなる外観形状を有し、ケースを介して弁ユニットを収容する収容部分を上部に、弁ユニット内で混合された湯水混合水または弁ユニット内を通った水の導出流路を下部に有する水栓本体に、前記導出流路に連通する水または湯水混合水の導出口部が設けられ、
この導出口部に差し込まれる吐水管を、前記導出流路に連通する連通穴を有する継手部材を介して水栓本体に取替え自在に接続してある吐水管取付け機構であって、
前記導出口部は、前記継手部材を前記導出口部に接続するため前記導出流路の出口の直下流に形成された内周面に前記継手部材に形成された外ねじに螺合する内ねじを有するとともに、この内ねじの下流側に、吐水管の差し込み部に外嵌する差し込み孔を有し、
さらに、前記差し込み孔は、弁ユニットの前記ケースの底部角部分が突出可能な大きさの孔を上面に有する一方、吐水管の前記差し込み部は、前記ケースと干渉しないように形成された凹み部分を有し、
また、前記継手部材は、工具の六角部が嵌め込まれ、工具を回動させることにより前記両ねじを螺合させうる六角形の周面を前記連通穴の内周面に有することを特徴とする吐水管取付け機構。
【請求項２】
前記継手部材の上流端部が前記導出口部に接続される一方、前記継手部材の少なくとも下流端部が前記吐水管にシール可能に差し込まれ、更に、吐水管の回り止め手段と、前記吐水管の前記継手部材からの抜け止め手段とを有する請求項１に記載の吐水管取付け機構。
【請求項３】
前記吐水管は鍛造で加工されている請求項１または請求項２に記載の吐水管取付け機構。
【請求項４】
前記吐水管は、先端の吐水口部に整流器取り付け用の取付金具が螺合するねじを有する請求項１ないし請求項３のいずれかに記載の吐水管取付け機構。
【請求項５】
楕円体の長径方向における両端を切り取ってなる外観形状を有し湯水混合水または水の導出流路が形成されている水栓本体に、前記導出流路に連通する水または湯水混合水の導出口部が設けられ、この導出口部に差し込まれる吐水管を、前記導出流路に連通する連通穴を有する筒状の継手部材を介して水栓本体に取替え自在に接続する吐水管取付け方法であって、継手部材の下流端部側から継手部材の連通穴の内周面に形成された六角形の周面に工具の六角部を嵌め込み、工具を回動させることにより、筒状の継手部材の上流端部に形成された外ねじを前記導出口部における前記導出流路の出口の直下流に形成された内周面の内ねじに接続し、前記継手部材に前記吐水管をシール可能に差し込み、前記導出口部の前記内ねじの下流側に形成された差し込み孔が吐水管の差し込み部に外嵌する状態で、前記吐水管の回り止めと前記吐水管の前記継手部材からの抜け止めとを施すことを特徴とする吐水管取付け方法。
【発明の詳細な説明】
【０００１】
【発明の属する技術分野】
この発明は、吐水管取付け機構および吐水管取付け方法に関する。
【０００２】
【従来の技術】
例えば、図９に示すように、台所の流しの取付面部７１に上下に貫通する一つの貫通穴７５を設け、給水配管および給湯配管と水栓本体７２に設けた水受け入れ口および湯受け入れ口とをそれぞれ接続する接続管７９（８０）を前記貫通穴７５に挿通してなる、いわゆる、ワンホールタイプのシングルレバー式の湯水混合水栓Ａにおいて、吐水管７０が、水栓本体７２の下部外周面を覆う金属製カバー体７３に接合された状態で、水栓本体７２に対して前記カバー体７３と共に回動するよう構成されているものがある。この吐水管７０〔図１０（Ａ）、図１０（Ｂ）参照〕は、例えば、図１０（Ｃ）に示すように断面形状が略楕円に成形された薄肉の金属パイプよりなり、漏水防止と強度確保等のためにろう付けにより前記カバー体７３に接合されている。７４は、ろう付部分で、吐水管７０の後端面全周にわたる。
【０００３】
また、吐水管７０の先端の吐水口部７６に整流器を取り付けるための取付け金具７７もろう付けにより吐水口部７６に取付けられている。７８は、ろう付部分で、取付け金具７７の外向きフランジ７７ａ〔図１０（Ｄ）参照〕の外周面全周にわたる。
【０００４】
一方、洗面台に設置されているシングルレバー式湯水混合水栓の吐水管８１は、図１１（Ｂ）に示すように前記吐水管７０より長さが短く、例えば断面形状が略楕円〔図１１（Ｃ）参照〕に成形された薄肉の金属パイプよりなり、漏水防止と強度確保等のためにろう付けにより鋳物製の水栓本体８２に取付けられている。８３は、ろう付部分で、吐水管８１の後端面全周にわたる。水栓本体８２は、図１１（Ａ）に示すように、湯受け入れ口８６、水受け入れ口８７、湯水混合水導出口８８、セラミック製カートリッジ弁体の位置決め用固定孔８９を有する。
【０００５】
また、整流器取付け用の取付け金具８４がろう付けにより吐水口部８５に取付けられている。８６は、ろう付部分で、取付け金具８４の外向きフランジ８４ａの外周面全周にわたる。
【０００６】
【発明が解決しようとする課題】
しかし、ろう付けを吐水管７０，８１と取付け金具７７，８４の二箇所に採用しているので、例えば図１１において、吐水管８１の前記ろう付部分８３が良好であっても取付け金具８４の前記ろう付部分８６でろう材料がはみ出したり、変形が起きたりして、ろう付け部分８６の外観が一定でなく悪いという問題や、あるいは、品質上の問題が生じる場合、不良品として処理されていた。
【０００７】
この発明はこのような実情を考慮に入れてなされたものであって、外観および品質を向上できて不良率を低減できる吐水管取付け機構および吐水管取付け方法を提供することを目的としている。
【０００８】
【課題を解決するための手段】
上記目的を達成するために、この発明の吐水管取付け機構は、楕円体の長径方向における両端を切り取ってなる外観形状を有し、ケースを介して弁ユニットを収容する収容部分を上部に、弁ユニット内で混合された湯水混合水または弁ユニット内を通った水の導出流路を下部に有する水栓本体に、前記導出流路に連通する水または湯水混合水の導出口部が設けられ、この導出口部に差し込まれる吐水管を、前記導出流路に連通する連通穴を有する継手部材を介して水栓本体に取替え自在に接続してある吐水管取付け機構であって、前記導出口部は、前記継手部材を前記導出口部に接続するため前記導出流路の出口の直下流に形成された内周面に前記継手部材に形成された外ねじに螺合する内ねじを有するとともに、この内ねじの下流側に、吐水管の差し込み部に外嵌する差し込み孔を有し、さらに、前記差し込み孔は、弁ユニットの前記ケースの底部角部分が突出可能な大きさの孔を上面に有する一方、吐水管の前記差し込み部は、前記ケースと干渉しないように形成された凹み部分を有し、また、前記継手部材は、工具の六角部が嵌め込まれ、工具を回動させることにより前記両ねじを螺合させうる六角形の周面を前記連通穴の内周面に有する。
【０００９】
また、この発明は別の観点から、楕円体の長径方向における両端を切り取ってなる外観形状を有し湯水混合水または水の導出流路が形成されている水栓本体に、前記導出流路に連通する水または湯水混合水の導出口部が設けられ、この導出口部に差し込まれる吐水管を、前記導出流路に連通する連通穴を有する筒状の継手部材を介して水栓本体に取替え自在に接続する吐水管取付け方法であって、継手部材の下流端部側から継手部材の連通穴の内周面に形成された六角形の周面に工具の六角部を嵌め込み、工具を回動させることにより、筒状の継手部材の上流端部に形成された外ねじを前記導出口部における前記導出流路の出口の直下流に形成された内周面の内ねじに接続し、前記継手部材に前記吐水管をシール可能に差し込み、前記導出口部の前記内ねじの下流側に形成された差し込み孔が吐水管の差し込み部に外嵌する状態で、前記吐水管の回り止めと前記吐水管の前記継手部材からの抜け止めとを施すことを特徴とする吐水管取付け方法を提供する。
【００１０】
【発明の実施の形態】
以下にこの発明の実施の形態について説明する。なお、この発明はそれによって限定されるものではない。
【００１１】
図１〜図６は、ポップアップ機構を備えたシングルレバー式のワンホール湯水混合水栓Ｂの吐水管に適用したこの発明の一実施形態を示す。
【００１２】
図１〜図６において、１は、湯水混合水栓Ｂの水栓本体で、金属製である。この水栓本体１は、楕円体Ｃの長径方向における両端を切り取ってなる外観形状Ｃ3 を有する。図５（Ｅ）において、切取った部分Ｃ1 ，Ｃ2 を二点鎖線で示すとともに、残った部分Ｃ3 を実線で示す。
【００１３】
前記水栓本体１は、弁ユニット２を収容する収容部分３を上部に有し、例えば洗面台の取付面部に上下に貫通するよう設けた一つの貫通穴に挿通可能な筒状の水栓取付足４が接続される取付足接続部分５を底部に有し、ポップアップ棒が挿通可能な挿通穴６を背面および底面間を貫通させた状態で有し、水または湯水混合水の導出口部７を正面に有する。なお、水栓取付足４内には、給水配管および給湯配管と水栓本体１の底に設けた、水栓本体１への水受け入れ口８および水栓本体１への湯受け入れ口９とをそれぞれ接続する接続管（図示せず）が位置する。
【００１４】
前記収容部分３は、上方開口３ａを有する有底筒状で、底に、弁ユニット２への水入口１０と、弁ユニット２への湯入口１１と、弁ユニット２内で混合された湯水混合水または弁ユニット２内を通った水の前記導出口部７への入口１２と、前記弁ユニット２を位置決め固定するための一対の孔１３を有する。そして、前記入口１２から導出口部７間に至る水または湯水混合水の導出流路ｉと、水受け入れ口８と水入口１０を連通する水流路ｊと、湯受け入れ口９と湯入口１１を連通する湯流路ｋとが水栓本体１の下部１４（収容部分３の直下）に形成されている。前記導出流路ｉは、側面視Ｌ字型である。前記収容部分３は、上方開口３ａを被覆する被覆部材２０を接続するための内ねじ２９を有する。
【００１５】
前記弁ユニット２は、収容部分３内に嵌合するよう前記下部１４にケース１６が載置された状態で、ケース１６内にセラミック製の固定ディスク１７およびセラミック製の可動ディスク１８がこの順で載置されてなる。すなわち、固定ディスク１７上に摺動自在に可動ディスク１８が重合配置され、可動ディスク１８がサポート部材１９によって保持されている（特願平７−２７５１５号明細書、図面参照）。また、前記被覆部材２０とサポート部材１９間に、回転軸２１のまわりに回動する栓棒２２と、回転軸２１を支持する支持部材２３が位置する。そして、栓棒２２に連動連結された操作部材２５によって、止水・吐水状態切替操作と混合水の温度調整と流量調節が行われる。なお、操作部材２５は、操作し易く、かつ、デザイン性に優れた見栄えのする平面視十字形に形成されている。
【００１６】
以下、この発明の特徴的構成について説明する。
【００１７】
３０は、金属製の吐水管である。この実施形態では、吐水管３０は、例えば銅製で、外径Ｈの銅製の棒体を鍛造で加工成形することにより得ることができる。
【００１８】
前記吐水管３０は、前記導出口部７に連通する連通穴３１を有する筒状の継手部材３２を介して水栓本体１に着脱自在に接続してある。更に、前記吐水管３０は、先端の吐水口部３６に、整流器３７取り付け用の取付金具３８に形成された外ねじ３９に螺合する鍛造成形の内ねじ４０を有する一方、後端の差し込み部４１に、継手部材３２の下流端部４２がシール可能に差し込まれるための差し込み穴４３を有する。この差し込み穴４３と、吐水口部３６に至る吐水穴４４とで吐水管３０の吐水流路ｑが形成される。
【００１９】
また、継手部材３２は、小径の外周面に二つのＯリング溝４５が形成された下流端部４２を有し、下流端部４２と略同径の外周面に外ねじｘが形成された上流端部３３を有し、下流端部４２と上流端部３３に両者４２，３３よりも僅かに大径の外周面を持つ中間部４７を有する。更に、中間部４７および上流端部３３は一つのＯリング溝４８を介して連設される一方、下流端部４２は、中間部４７の下流側端面４７ａから下流に向かって広がるテーパ面４９を有する。５０は、Ｏリング溝４５に嵌め込まれたＯリング、５１は、Ｏリング溝４８に嵌め込まれたＯリングである。そして、継手部材３２の前記下流端部４２と中間部４７に吐水管３０の前記差し込み部４１が差し込まれる。
【００２０】
前記継手部材３２と導出口部７は、ねじ結合により接続される。すなわち、導出口部７は、水または湯水混合水の前記導出流路ｉの出口３４の直下流に形成された内周面Ｓに前記外ねじｘに螺合する内ねじｙが形成されたねじ部６０を有し、両ねじｘ，ｙの螺合により導出口部７に継手部材３２が接続される。そのため、継手部材３２は、下流端部４２の前記テーパ面４９に対応する内周面が図４（Ａ）に示すように六角形の周面１００に形成されており、工具の六角部を前記六角形の周面１００に嵌め込み、工具を回動させることで両ねじｘ，ｙを螺合できる。なお、図４（Ａ）は図４（Ｂ）におけるｅ−ｅ’線矢視図である。この接続状態では、導出口部７の前記内周面Ｓの最下流面にＯリング５１が位置し、このＯリング５１によって、継手部材３２の中間部４７および吐水管３０間の隙間をシールできる。例えば、前記出口３４から差し込み穴４３に向かって流れる水または湯水混合水が、継手部材３２の中間部４７および吐水管３０間の隙間にリークするのをＯリング５１によって防止できる。
【００２１】
一方、前記差し込み穴４３は、図２（Ａ）に示すように、上流側の大径穴部４３ｂと、下流側の小径穴部４３ａと、両穴部４３ａ，４３ｂ間に位置するテーパー穴部４３ｃとからなる。
【００２２】
図２（Ｃ）は、前記大径穴部４３ｂが位置する差し込み部４１の環状端面５２を示している。図２（Ｂ）は、吐水管３０先端の吐水口部３６の端面を示す。
【００２３】
そして、導出口部７にねじ結合されている継手部材３２に吐水管３０を差し込んだ状態では、前記大径穴部４３ｂには、継手部材３２の前記中間部４７が位置する一方、前記小径穴部４３ａに継手部材３２の前記下流端部４２の前記テーパ面４９を除く部分が位置し、更に、前記テーパー穴部４３ｃに継手部材３２の前記テーパ面４９が位置する。
【００２４】
そして、導出口部７は、前記ねじ部６０の下流側に、吐水管３０の差し込み部４１に外嵌する差し込み孔５５を有する。この差し込み孔５５は前記ねじ部６０に連通する。差し込み孔５５と前記ねじ部６０の中心を結ぶ線と水平面とは例えば３４°の角度をなす。また、この実施形態では、前記差し込み孔５５は、弁ユニット２のケース１６の底部角部分が突出可能な大きさの孔１６ａを上面に有する。そのため、吐水管３０の前記差し込み部４１は、ケース１６と干渉しないように凹み部分４１ａを有する。
【００２５】
更に、前記Ｏリング５０によって継手部材３２の下流端部４２および吐水管３０間の隙間をシールできる。そのため、例えば、前記Ｏリング５１が損傷して前記出口３４から差し込み穴４３に向かって流れる水または湯水混合水が、継手部材３２の中間部４７および吐水管３０間の隙間にリークしても、あるいは、弁ユニット２の前記ディスク１７，１８が損傷して弁ユニット２のケース１６内から差し込み部４１の凹み部分４１ａに水、湯または湯水混合水がリークしても、これらを防止できる。
【００２６】
一方、吐水管３０の端面５２の下部には、吐水管回り止め用のピン５３の一方端が嵌め込まれるピン孔５４が端面５２から下流に向かって所定長さだけ穿設されている。
【００２７】
また、水栓本体１の下部１４にも前記ピン５３の他方端が嵌め込まれるピン孔５９が差し込み孔５５の底部５５ａから下部１４内側に向かって所定長さだけ穿設されている。
【００２８】
６１は、吐水管３０の継手部材３２からの抜け止め用のねじである。また、この抜け止め用のねじ６１は、吐水管３０は、差し込み穴４３の前記大径穴部４３ｂの位置に前記ねじ６１が螺合するねじ孔６２を有する。このねじ孔６２は、差し込み部４１の下部に貫通して穿設されている。前記ねじ６１は、先端が継手部材３２の前記下流端部４２の前記テーパ面４９に当接した状態で、吐水管３０を継手部材３２に締付けて吐水管３０が継手部材３２から抜けるのを防止する。
【００２９】
而して、水栓本体１に設けた水または湯水混合水の導出口部７に筒状の継手部材３２の上流端部３３を接続し、継手部材３２の下流端部４２および中間部４７に吐水管３０をシール可能に差し込むとともに、前記吐水管３０の回り止めと前記吐水管３０の前記継手部材３２からの抜け止めとを施すだけの容易な作業で吐水管３０を水栓本体１に取付けできる。
【００３０】
よって、メンテナンスにおいては、前記取付け作業とは反対の取り外し作業にて容易に吐水管３０を取り外すことができる。
【００３１】
また、従来のようにろう付部分７４，８３を不要にできる。
【００３２】
更に、吐水管３０先端の吐水口部３６に内ねじ４０を鍛造成形したので、整流器３７取り付け用の取付金具３８を外ねじ３９を介して吐水口部３６にねじ締めできる。よって、従来のようにろう付部分７８，８４を不要にできる。
【００３３】
また、この発明は、前記吐水管３０とは別タイプの吐水管３０’，３０’’（図７、図８参照）を上記取付け作業と同様の作業で取替えできる利点を有する。
【００３４】
すなわち、ポップアップ機構を備えたシングルレバー式のワンホール湯水混合水栓Ｂの吐水管３０’の取り付け機構を吐水管３０の上述した取り付け機構と同一のものに構成することにより、図１に示す吐水管３０を水栓本体１から取り外した後、図７に示すストレートタイプの吐水管３０’を水栓本体１に取り付けできる。
【００３５】
また、ポップアップ機構を備えたシングルレバー式のワンホール湯水混合水栓Ｂの吐水管３０’’の取り付け機構を吐水管３０の上述した取り付け機構と同一のものに構成することにより、図１に示す吐水管３０を水栓本体１から取り外した後、図８に示すシャワヘッド６５を具備したタイプの吐水管３０’’を水栓本体１に取り付けできる。６６は、シャワ状態と直流放水の状態に切り替えるための切替えコックである。
【００３６】
図７、図８において、６７は、ポップアップ棒である。
【００３７】
なお、この実施形態では、ポップアップ機構を備えたシングルレバー式のワンホール湯水混合水栓Ｂの吐水管３０，３０’，３０’’について説明したが、この発明は、例えば水道水に使用されような単水栓の吐水管にも適用できることは勿論である。
【００３８】
また、鍛造で加工成形された吐水管３０を示したが、この発明で用いる吐水管は鋳造で加工成形されたものでもよい。この場合、吐水管は、先端の吐水口部３６に、整流器３７取り付け用の取付金具３８に形成された外ねじ３９に螺合する鋳造成形の内ねじ４０を有する。この鋳造成形の内ねじ４０は鍛造成形の内ねじ４０と略同様の精度を有する。
【００３９】
【発明の効果】
この発明では、外観および品質を向上できて不良率を低減できるとともに、異なるタイプの吐水管を水栓本体に取替え自在に接続できる汎用性のある吐水管取付け機構および吐水管取付け方法を提供することができる効果がある。
【図面の簡単な説明】
【図１】  この発明の一実施形態における取付け状態を示す全体構成説明図である。
【図２】  （Ａ）は、上記実施形態で用いた吐水管を示す縦断面図である。
（Ｂ）は、上記実施形態で用いた吐水管の先端面を示す図である。
（Ｃ）は、上記実施形態で用いた吐水管の後端面を示す図である。
【図３】  上記実施形態で用いたシングルレバー式湯水混合水栓を示す背面図である。
【図４】  （Ａ）は、上記実施形態で用いた継手部材の要部を示す断面図である。
（Ｂ）は、上記実施形態で用いた継手部材を示す構成説明図である。
【図５】  （Ａ）は、上記実施形態で用いた水栓本体の平面図である。
（Ｂ）は、上記実施形態で用いた水栓本体の構成説明図である。
（Ｃ）は、上記実施形態で用いた水栓本体の構成説明図である。
（Ｄ）は、上記実施形態で用いた水栓本体の底面図である。
（Ｅ）は、上記実施形態で用いた水栓本体の背面図である。
【図６】  上記実施形態の取付け状態を示す要部分解斜視図図である。
【図７】  この発明で用いた別の吐水管を有するシングルレバー式湯水混合水栓を示す側面図である。
【図８】  この発明で用いた更に別の吐水管を有するシングルレバー式湯水混合水栓を示す側面図である。
【図９】  従来例の取付け機構を示す構成説明図である。
【図１０】  （Ａ）は、従来例の吐水管の取付け状態を示す平面図である。
（Ｂ）は、従来例の吐水管の取付け状態を示す一部断面側面図である。
（Ｃ）は、図１０（Ｂ）におけるｃ−ｃ’線矢視図である。
（Ｄ）は、従来例の吐水管の吐水口部を示す図である。
【図１１】  （Ａ）は、従来例の水栓本体の平面図である。
（Ｂ）は、従来例の別の吐水管の取付け状態を示す一部断面側面図である。
（Ｃ）は、図１１（Ｂ）におけるｂ−ｂ’線矢視図である。
【符号の説明】
１…水栓本体、２…弁ユニット、３…収容部分、１４…下部、７…導出口部、１６…ケース、１６ａ…孔、３０…吐水管、３１…連通穴、３２…継手部材、４１ａ…凹み部分、５５…差し込み孔、ｘ，ｙ…ねじ、Ｃ…楕円体、Ｃ3 …外観形状。
【図１】
0003893038.tif 000002
【図２】
0003893038.tif 000003
【図３】
0003893038.tif 000004
【図４】
0003893038.tif 000005
【図５】
0003893038.tif 000006
【図６】
0003893038.tif 000007
【図７】
0003893038.tif 000008
【図８】
0003893038.tif 000009
【図９】
0003893038.tif 000010
【図１０】
0003893038.tif 000011
【図１１】
0003893038.tif 000012